(57)【要約】      （修正有）【課題】産褥期の乳房（乳房モデル）、子宮復古（産褥期子宮モデル）と内分泌として悪露の排出状態の観察（外陰部モデル）を装着型模型（エプロン型装着型モデル）とした看護教材を提供する。【解決手段】人体に装着できるような外形がエプロンの形状をし、肩、胸部、腹部、腰部への装着用ベルトを有する教材用褥婦モデル１であって、該教材用褥婦モデルの裏面に人体の乳房位置に相当する箇所に模擬乳房を挿入する模擬乳房保持部２を有し、前記模擬乳房保持部は模擬乳房を出し入れできるような挿入口を有する袋状（ポケット状）をなし、エプロン状の胸腹部は産褥期子宮モデルを交換式で子宮復古の進行を表現するために面ファスナーを貼り該部分を含んだ腹部を一周しうるファスナーで取り付けられている腹部カバー４とシリコーンゲルで成型した腹壁を設けた教材用褥婦モデルである。【選択図】図１
0003233244.tif 000002
【実用新案登録請求の範囲】
【請求項１】
人体に装着できるような外形がエプロンの形状をし、肩、胸部、腹部、腰部への装着用ベルトを有する教材用褥婦モデルであって、該教材用褥婦モデルの裏面に人体の乳房位置に相当する箇所に模擬乳房を挿入する模擬乳房保持部を有し、前記模擬乳房保持部は模擬乳房を出し入れできるような挿入口を有する袋状（ポケット状）をなし、エプロン状の胸腹部は産褥期子宮モデルを交換式で子宮復古の進行を表現するために面ファスナーを貼り該部分を含んだ腹部を一周しうるファスナーで取り付けられている腹部カバーとシリコーンゲルで成型した腹壁を設けたことを特徴とする教材用褥婦モデル。
【請求項２】
人体の股間部を覆いその両端部にベルトを設けた装着式外陰部モデルを有する請求項１記載の教材用褥婦モデル。
【考案の詳細な説明】
【技術分野】
【０００１】
本考案は、産褥期の乳房、子宮の復古と外陰部を模型化し、人体に装着して母性看護教材とした教材用褥婦モデルに関する。
【背景技術】
【０００２】
出産後、産褥期に妊娠、分娩によって変化した母体が非妊娠時の状態に戻るまでの間に、乳汁分泌、子宮復古、内分泌機能などの変化が起こる。本考案はこの変化を予め習得し得るような教材用産褥婦モデルに関する。
従来この種の婦人の体系の変化を予め取得する教材用モデルとしては、例えば特許文献１、および非特許文献１に見られるように妊産婦モデルが主として存在しているが、産褥期に関するモデルはあまり知られていない。
ただ、産褥期における婦人の予後を早期かつ的確に判断できるモデルとしては例えば特許文献２に示されているような判定具は本考案前公知であるが、産褥期の乳房、子宮の復古、外陰部を模型化し人体に装着した母性看護教材は未知である。特に、出産数の減少、コロナ禍の影響で実習施設での教育が困難になり、実習施設で教育の補う教育方法として模型を使用したシミュレーション教育が効果的である。
【先行技術文献】
【特許文献】
【０００３】
【特許文献１】実用新案出願公開昭５６−１０２５７０号公報
【特許文献２】特開２００９６１２２７号公報
【非特許文献】
【０００４】
【非特許文献１】株式会社エムシーピーのカタログ「妊婦外診モデル」
【考案の概要】
【考案が解決しようとする課題】
【０００５】
本考案の課題は、産褥期の乳房（乳房モデル）、子宮復古（産褥期子宮モデル）と内分泌として悪露の排出状態の観察（外陰部モデル）を装着型模型（エプロン型装着型モデル）として看護教材に提供することにある。
【課題を解決するための手段】
【０００６】
本考案の請求項１の要旨は人体に装着できるような外形がエプロンの形状をし、肩、胸部、腹部、腰部への装着用ベルトを有する教材用褥婦モデルであって、該教材用褥婦モデルの裏面に人体の乳房位置に相当する箇所に模擬乳房を挿入する模擬乳房保持部を有し、該模擬乳房保持部は模擬乳房を出し入れできるような挿入口を有する袋状（ポケット状）をなし、エプロン状の胸腹部は産褥期子宮モデルを交換式で子宮復古の進行を表現するために面ファスナーを貼り該部分を含んだ腹部を一周しうるファスナーで取り付けられている腹部カバーとシリコーンゲルで成型した腹壁を設けたことを特徴とする教材用褥婦モデルであり、本考案の請求項２の要旨は股間部を覆いその両端部にベルトを設けた装着式外陰部モデルを有する請求項１記載の教材用褥婦モデルである。
【考案の効果】
【０００７】
本考案にかかる教材用褥婦モデルの乳房保持部に産褥期のそれぞれの時期の大きさの模擬乳房モデルを挿入し、腹部に挿入した産褥期子宮モデルを腹部カバーで覆うことによって容易にその相当する時期の褥婦の状態を知ることができ、さらに装着式外陰部を有することにより子宮の悪露確認を行うと共に、悪露が確認された場合エプロン状モデルの上から子宮モデルに対して輪状マッサージ等の訓練を行うことができる。さらに腹部カバーと産褥期子宮モデルの間に腹部カバーと同形の腹壁１０を設けることが輪状マッサージのトレーニング効果を上げることができる。腹壁は厚さ１５〜２０mmの座蒲団状で、シリコーンゲルで成型されていることが良い。その状態の模型を使用することによってシミュレーション教育をすることができる。
【図面の簡単な説明】
【０００８】
【図１】本考案にかかる教材用褥婦モデル全体の平面図
【図２】本考案にかかる教材用褥婦モデル裏面の平面図
【図３】本考案にかかる教材用褥婦モデルに模擬乳房実質部と産褥期子宮モデルを載置した平面図
【図４】図３のAA'における縦断面図
【図５】装着式外陰部モデルの斜視図
【図６】外陰部モデルを装着した説明図
【考案を実施するための形態】
【０００９】
本考案について更に詳細に述べる。
本考案にかかる褥婦モデルの外形は通常のエプロン形状をし、その大きさは日本人の平均成人女性の大きさであるが、ただ、装着する人体の大きさに合わせて数種類設けることは可能である。
本考案にかかる褥婦モデルでは産褥期の各段階における模擬乳房モデル及び模擬産褥期子宮モデルを予め設けておく。模擬乳房モデルは褥婦モデルの模擬乳房保持部に挿入する模擬乳房であって、産褥期の乳房は乳汁分泌時期に相当する乳房で全体が柔らかいシリコーンゲルで成形した乳房モデルが好ましい。模擬産褥期子宮モデルは褥婦モデルの腹部に載置する産褥期子宮モデルであって、産褥経過日数に従って復古状態で子宮の硬い子宮復古モデル良（４種）と子宮の柔らかい子宮復古不良の４種で計８個を設けてくことが好ましい。その形状としては、本来は胎児が入っていたイチジク状の袋であるが、人体に装着するためにイチジクを縦に半分に切ったような形が望ましく、産褥期の子宮は子宮の復古に伴いその形状が小さくなっていく。最終的には実際のイチジクの大きさ程になる。したがって、産褥１日目は臍下までの大きさとなり産褥３日目７、産褥５日目８と徐々に小さきくなり産褥７日目は恥骨結合上縁までに退行する。模擬産褥期子宮は以上のような形状が望ましい。（図３参照）
本考案にかかる褥婦モデルの乳房モデルでは先に述べたように予め作成してある模擬乳房モデルを模擬乳房モデル保持部に挿入するとともに、産褥期子宮の復古進行状態に相当する段階の産褥期子宮モデルを産褥期子宮モデル保持部に載置しカバーで覆う。しかる後模擬乳房モデル及び模擬子宮モデルを装着したエプロン状の褥婦モデルを装着し母性看護教材とする。
【００１０】
出産数の減少、コロナ禍の影響で実習施設での教育が困難になり、実習施設の教育の補う教育方法として模型を使用したシミュレーション教育が効果的である。
【００１１】
次に本考案の褥婦モデルを図面をもって具体的に説明する。
図１は本考案にかかるエプロン式褥婦モデル１を人体に装着した時の全体の平面図である。該モデル１の裏面には人体の乳房に相当する位置に乳房保持部２及び人体に装着するため面ファスナーのような装着用テープ１３を設ける（図２参照）。図２は本考案のモデルの裏の展開図であって、左右に乳房保持部があり乳房保持部の真ん中に模擬乳房モデルを挿入する挿入口１４を設ける。図３は本考案にかかる教材用褥婦モデルに模擬乳房実質部と産褥期子宮モデルを載置した平面図である。
そして、図１においてその表面には人体の腹部に相当する位置に産褥期子宮保持部３を設け、該部分を含んだ腹部の外周を一周するファスナーのような固定具５で固定する腹部カバー４をもって覆う 。産褥期子宮保持部３では腹部カバーをはずし後述の産褥期子宮モデルを交換式で入れることができる（図１及び図３参照）。産褥期子宮モデルは先に述べたように、産褥経過日数に従って例えば産褥第１日目６から産褥第７日目９まで設けておくことが好ましい。例えば、産褥期第1日目、産褥3日目、産褥５日目、産褥７日目の４種で、その復古良と不良で計８種を設けておくことが好ましい。腹部カバーと産褥期子宮の間には腹部カバーと同形のシリコーンゲルで成型された腹壁１０を置くことができる。
【００１２】
また、別体として外陰部モデルを設けておくことが好ましい。外陰部モデルは外陰部と悪露の観察を知るためのモデルであってその概略を図５〜図６に示す。図５は装着式外陰部モデル１５の概略図であって、該モデルの左右にベルト１６，１６を設け、これで人体の股間部に取り付ける（図６）。図６は外陰部モデル１５をベルト１６，１６で人体に装着した図である。
外陰部モデルは分娩時に発生した会陰裂傷縫合等の創部を表現することも可能である。
【００１３】
図３は本考案にかかるエプロン式褥婦モデル１の産褥期子宮保持部３に産褥期子宮モデルを載置した状態の図である。図３において人体の乳房に相当する位置に先述したように産褥期の乳房モデル（左右）を保持する乳房保持部２を設ける。
【００１４】
図３において人体の下腹部に相当する位置に産褥期子宮モデル６から９を交換式で入れることができる（図１，図３）。産褥期子宮モデルは子宮復古と悪露の確認観察するためのモデルであって、子宮については良と不良の確認を行い、不良の場合は子宮モデルが柔らかいウレタンフォームで成型されている、良の場合の子宮モデル全体はゴムまたはエラストマーで成型されエプロンのカバーと腹壁から容易に硬さを感じることができる。
別体の装着型外陰部モデル（図５、図６）で悪露の確認を行う。悪露が確認された場合、エプロン上からモデル子宮に対して輪状マッサージが可能とする。
産褥期の乳房と腹部はエプロン式で外陰部は別構造としてもよい。エプロンは人体装着のため縫製品で、外陰部は悪露の確認観察後に清しきを行うため水等が使えるゴムエラストマーで成型され、悪露を模擬した液状物質を用意にふき取れる撥水性のシリコーンエラストマーが望ましい。外陰部モデルは分娩時に発生した外陰部の創部を表現することも可能である。
【産業上の利用可能性】
【００１５】
以上述べたように本考案にかかる教習用褥婦モデルは産褥期のそれぞれの段階の状態を知り、その状態における適切な処置等を習得することができるので、その産業上の利用可能性は大きい。助産教育上で、産科病院や助産所で行われる助産学演習が、今後ますます困難になる中で、分娩後の身体が正常に回復しているかどうかを観察し、異常の早期発見予防に努めることができ、対面での教育が困難な今後に大変有効な教材となる。
【符号の説明】
【００１６】
１  エプロン式褥婦モデル    ２  乳房保持部              ３  子宮モデル保持部
４  腹部カバー              ５  固定具（ファスナー）    ６〜９  子宮モデル    
（６  産褥１日目    ７  産褥３日目    ８  産褥５日目    ９  産褥７日目）  
１０  腹壁      １１  面ファスナー      １２  恥骨
１３  装着用ベルト（面ファスナー）      １４  乳房挿入口
１５  装着式外陰部モデル      １６  ベルト
【図１】
0003233244.tif 000003
【図２】
0003233244.tif 000004
【図３】
0003233244.tif 000005
【図４】
0003233244.tif 000006
【図５】
0003233244.tif 000007
【図６】
0003233244.tif 000008